(57)【要約】【課題】キャップの螺合部と螺子最終位置側の先端部との位置ズレの発生を抑制し、キャップの体裁が良く、また、容器本体の口部の径の大きさの制限を抑止しうる開封防止機構付きキャップ等を提供すること。【解決手段】本発明の開封防止機構付きキャップ１は、外形周囲を亘る一の外周板１１と、この外周板１１の内側面に形成された内螺子部と、外周板１１の内側面のうち内螺子部の下方に複数個形成され、開封時に容器本体の一部と掛止しうる第一の掛止爪２１と、外周板１１の内側面であって第一の掛止爪２１間に複数個形成され、樹脂成形時に成形金型の一部と掛止しうる第三の掛止爪２３とを具備する。【選択図】  図２
2008013181.tif 000002
【特許請求の範囲】
【請求項１】
外形周囲を亘る一の外周板と、この外周板の内側面に形成された内螺子部と、外周板の内側面のうち内螺子部の下方に複数個形成され、開封時に容器本体の一部と掛止しうる第一の掛止爪と、外周板の内側面のうち前記複数個のうち隣り合う二つの第一の掛止爪間に形成され、樹脂成形時に成形金型の一部（樹脂押さえ用溝）によって形成される複数の第三の掛止爪とを具備した開封防止機構付きキャップであって、前記外周板は、その内側面に設けた段差の上方及び下方にそれぞれ厚肉部及び薄肉部を有し、前記内螺子部はこの厚肉部に形成され、前記複数個の第一の掛止爪及び第三の掛止爪はいずれも、この薄肉部に形成されてなることを特徴とする開封防止機構付きキャップ。
【請求項２】
複数個の第一の掛止爪及び第三の掛止爪はいずれも、外周板の内側へ向かって突出した偏突起からなり、各偏突起の、内側面方向の掛止高さは、いずれも前記厚肉部と薄肉部の厚さの差よりも小さいものである請求項１記載の開封防止機構付きキャップ。
【請求項３】
請求項１または２記載の開封防止機構付きキャップと、この開封防止機構付きキャップの内螺子部に螺合しうる口部を備えた容器本体とから構成された容器であって、容器本体は、口部の下端付近に複数個形成され、前記第一及び第三の掛止爪に掛止しうる第二の掛止爪と、前記外周板と共通した外径の容器側板とを具備してなる開封防止機構付き容器。
【請求項４】
キャップの内螺子に対応する螺子部金型が外周に沿って形成されると共に基台に対して回転進退可能なモーターラックと、開封防止機構付きキャップの開封防止機構に対応する開封防止用溝が複数個形成されると共に基台内で前記モーターラックの周囲に立設した開封防止用金型と、開封防止機構付きキャップの外周側面及び天面に対応して形成されると共に前記開封防止用金型を覆って基台に当接しうる外部金型とを具備した、射出成形用の成形金型であって、前記開封防止用金型は、その外周側面に、金型内へ射出された樹脂の回転を押えるための複数の樹脂押さえ用溝を散設してなる開封防止機構付きキャップの成形金型。
【請求項５】
複数の開封防止用溝が、いずれも平面視にて一の周方向へ偏った偏倚溝であると共に、樹脂押さえ用溝が、前記開封防止用溝の偏倚溝と同一の周方向に偏った偏倚溝である請求項４記載の開封防止機構付きキャップの成形金型。
【請求項６】
複数の開封防止用溝と樹脂押さえ用溝とが混在して、開封防止用溝又は樹脂押さえ用溝のいずれかが、開封防止用金型の外周へ等間隔に形成される請求項４又は５記載の開封防止機構付きキャップの成形金型。
【請求項７】
請求項４、５または６のいずれか記載の開封防止機構付きキャップの成形金型を用いた開封防止機構付きキャップの製造方法であって、基台よりも突出した位置のモーターラック、開封防止用金型、及び外部金型を当接させて成形型の型締めを行う型締め工程と、前記型締め工程後にキャップ型内へ樹脂を射出してこの射出樹脂を冷却固化させる射出固化工程と、前記射出固化工程後にモーターラックを基台から回転退進させて内螺子部の型抜きをする内型抜き工程と、前記内型抜き工程後に開封防止用金型及び外部金型の当接を解除して外側の型抜きをする外型抜き工程と、を具備することを特徴とする開封防止機構付きキャップの製造方法。
【発明の詳細な説明】
【技術分野】
【０００１】
この発明は、不要な開封を防止するための開封防止機構を備えた、開封防止機構付きキャップにつき、この成形金型を用いた同開封防止機構付きキャップの製造方法、この製造方法に用いられる同開封防止機構付きキャップの成形金型、及び同開封防止機構付きキャップを備えた開封防止機構付き容器に関する。
【背景技術】
【０００２】
従来より、容器本体とキャップ（容器蓋）との、不要な開封を防止するための開封防止機構を備えた容器が存在する。この開封防止機構として、開封防止機構付きキャップと容器本体を打ち込み固定式とするものか、或いは螺子固定式とするものが存在する。
【０００３】
打ち込み固定式のものは、抜け防止のひだ付きのキャップを容器本体の上部の枠内へ打ち込んで固定する。
【０００４】
一方、螺子固定式のものは、螺合構造の最終螺子部側へ、互いに掛止しあう第一及び第二の掛止爪からなる逆回転防止のための掛止構造を、複数個ずつ隣設してなる（例えば、特許文献１参照）。これは、キャップの内側縁付近に設けた第一の掛止爪が、第一の周方向へ偏った偏突起からなると共に、容器本体の口部の外周側部付近に設けた第二の掛止爪が、前記第一の周方向とは逆の周方向へ偏った逆偏突起からなる。これにより、螺子締結の完了時に、第一の掛止爪間へ第二の掛止爪が位置すると共に、キャップを開封方向へ回転させようとすると、第一及び第二の掛止爪が、各偏突起面同士で当接して掛止するものとしている。
【０００５】
これらは、例えばサプリメント等の錠剤を収容する目的に用いられ、店舗での展示中等に容易に開封されることの無いようにしている。
【０００６】
【特許文献１】特開平０７−２９１２７３号公報
【発明の開示】
【発明が解決しようとする課題】
【０００７】
前記打ち込み固定式のものは容器本体との密閉度が低いため、収容物によっては密閉度の高い螺子固定による容器を必要とする。
【０００８】
これに対して、前記螺子固定式のものは、容器本体との螺子締結によって、比較的密閉度の高い封止状態とすることができる。
【０００９】
しかしながら、螺子固定式で開封防止機構を備えたものは、開封防止機構付きキャップが射出成形による樹脂成形品である場合に、下記製法上の課題が存在していた。
【００１０】
すなわち、開封防止機構付きキャップが射出成形による樹脂成形品である場合、開封防止機構付きキャップの内螺子を形成する螺子形成金型として、内螺子形成用のモーターラック式金型を使用する必要がある。
【００１１】
このモーターラック式金型は、例えば図１２に示すように、周囲に螺子金型が形成されたモーターラック５´を、金型基台に対して回転移動可能とすると共に、樹脂が充填される金型基台上の樹脂押さえ用金型６´に、樹脂押さえ機構たる樹脂押さえ用突起６３´を形成したものである。これは、金型内への樹脂射出後、樹脂押さえ用突起６３´によって射出樹脂が回転しないように射出樹脂を押さえたまま、モーターラック５´を回転退進させることで、開封防止機構付きキャップの型抜きを行うものである。
【００１２】
開閉防止機構を備える開封防止機構付きキャップの成形における樹脂押さえ機構は、上記のように、図１２や１３に示すような、上方を向いた複数の樹脂押さえ用突起６３´を、モーターラック５´の周縁の樹脂押さえ用金型６´上へ配置形成したものが代表的である。これら樹脂押さえ用突起が射出樹脂内に入り込むことで、「射出樹脂がモーターラック回転に追従して変移する事態」を防止している。これにより、型抜き時に射出樹脂とモーターラックとが容易に分離するものとなる。
【００１３】
ここで、前記樹脂押さえ用突起６３´を形成するためには、開封防止機構付きキャップの螺子の最終位置において、所定以上の樹脂厚さ(軸断面視にて軸と垂直な幅方向の距離）が必要となる（図１３のｄ２´参照）。さらに最終螺子部側には開閉防止機構として嵌合爪２１´を設ける必要があるため、これを成形するための開封防止用溝６１´（図１４）によって。開封防止機構付きキャップの螺合部と螺子最終位置側の先端部との間に、比較的大きな厚さ方向の位置ズレｄ１´が生じてしまう（図１３のｄ１´参照）。
【００１４】
前記位置ズレｄ１´を確保すべく、開封防止機構付きキャップの外形に大きな外周段差を生じさせた形状（例えば図１０）とすると体裁が悪いものとなり、密閉後に外周を覆うフィルムラミネート工程も困難なものとなる。
【００１５】
なお、樹脂の成形厚さには限界があり、所定の厚さ（例えば２ｍｍ）以上にするとひずみ等の成形不良が発生してしまう。このため、前記位置ズレｄ１´を含むほどの厚肉構造の開封防止機構付きキャップを製造することは困難である。
【００１６】
また、前記位置ズレｄ１´のため、容器本体の口部の内径３２ｄ´を所定大以上とすることができず、容器形状や収容物の大きさが制限されてしまう。特に、開封防止機構付きキャップ外形に段差を生じさせないため、開封防止機構付きキャップ外周縁を別コアで覆ったダブルコア形状とすると、容器本体部の外径３１ｄ´と口部の内径３２ｄ´とが、相当大（例えば２０ｍｍ以上）以上相違し、容器本体の口部の大きさに極めて大きな制限が生じてしまう。
【００１７】
そこで本発明では、開封防止機構付きキャップの成形金型、この成形金型を用いた開封防止機構付きキャップの製造方法、この製造方法によって得られる開封防止機構付きキャップ、及び、前記開封防止機構付きキャップを備えた容器（開封防止機構付き容器）であって、開封防止機構付きキャップの螺合部と螺子最終位置側の先端部との位置ズレの発生を抑制し、開封防止機構付きキャップの体裁が良く、また、容器本体の口部の径の大きさの制限を抑止しうるものを提供することを課題とする。
【課題を解決するための手段】
【００１８】
上記課題を解決すべく、本発明では下記（１）ないし（７）の手段を講じている。
【００１９】
（１）本発明の開封防止機構付きキャップ１は、外形周囲を亘る一の外周板１１と、この外周板１１の内側面に形成された内螺子部１２と、外周板１１の内側面のうち内螺子部１２の下方に複数個形成され、開封時に容器本体３の一部たる第二の掛止爪２２と掛止しうる第一の掛止爪２１と、外周板１１の内側面であって、前記複数個の第一の掛止爪２１のうち隣り合う二つの第一の掛止爪２１間に形成され、樹脂成形時に成形金型の一部たる樹脂押さえ用溝６３によって形成される複数の第三の掛止爪２３とを具備した開封防止機構付きキャップである。そして、前記外周板１１は、その内側面に設けた段差の上方及び下方にそれぞれ厚肉部１１１及び薄肉部１１３を有し、前記内螺子部１２はこの厚肉部１１１に形成され、前記複数個の第一の掛止爪２１及び第三の掛止爪２３はいずれも、この薄肉部１１３に形成されてなることを特徴とする。
【００２０】
このようなものであれば、第三の掛止爪２３が、外周板１１の薄肉部１１１の内側面であって、第一の掛止爪２１間に、側方向を向いて散設形成されるため、外周板１１を比較的薄型のものとすることができる。また、成形金型分離時の掛止機能と共に、開封防止機能をも果たしうる。
【００２１】
（２）前記本発明の開封防止機構付きキャップ１において、複数個の第一の掛止爪２１及び第三の掛止爪２３はいずれも、外周板１１の内側へ向かって突出した偏突起からなり、それぞれの偏突起の、内側面方向の掛止高さ２ｈは、いずれも前記厚肉部１１１と薄肉部１１３の厚さの差たる段差幅１１２ｂよりも小さいものであることが好ましい。
【００２２】
このようなものであれば、複数の第一の掛止爪２１及び複数の第三の掛止爪２３がいずれも、底面視にて内螺子部１２の最外縁（螺子底）よりも内側へ突出することなく形成される。
【００２３】
これにより、開封防止機構付きキャップ１と容器本体３とを螺合する際に、第一及び第三の掛止爪２３がいずれも、容器本体３の外螺子部３３と接触することのないものとなる。このため、開封防止機構付きキャップ１と容器本体３とを、容易に或いは確実に螺合固定することができ、また掛止爪は、螺子部等との接触によって欠損することなく掛止位置に配置される。
【００２４】
或いは、前記第三の掛止爪２３が第一の掛止爪２１よりも低い掛止高さ２ｈであることが好ましい。
【００２５】
なお、前記第三の掛止爪２３と第一の掛止爪２１は、容器本体３の口部３２根元に形成された複数の第二の掛止爪２２と掛止するものであると共に、すべての第三の掛止爪２３と第一の掛止爪２１において、第二の掛止爪２２に対する掛止面２ｆの角度が共通することが好ましい。
【００２６】
（３）また、本発明の容器は、前記いずれか記載の開封防止機構付きキャップ１と、この開封防止機構付きキャップ１の内螺子部１２に螺合しうる口部３２を備えた容器本体３とから構成された容器である。そして、容器本体３は、口部３２の下端付近の螺子終端側に複数個形成され、前記第一及び第三の掛止爪３１、３３に掛止しうる第二の掛止爪３２と、前記外周板と共通した外径（３１ｄ）の容器側板３１とを具備してなる。
【００２７】
このようなものであれば、容器本体３の容器側板３１の外径と、開封防止機構付きキャップ１の外周板１１の外径１１ｄとが共通するため、容器本体３と開封防止機構付きキャップ１とを螺合させた状態で、両部品間で外側面に大きな径の変化が生じることなく、いわゆる面一の容器となる。これは、例えば螺子締結後の容器の周囲をフィルム等でラミネートする場合、このラミネート工程を容易に行うことができ、皺の生じにくい体裁の良いラミネート状態とすることができる。
【００２８】
なお、このとき開封防止機構は、開封方向へ螺進した開封防止機構付きキャップ１の外周板１１に備えた第一の掛止爪２１及び第三の掛止爪２３と、容器本体３の口部３２下方に備えた第二の掛止爪２２とが掛止することによるものであり、容器側板３１は、前記第二の掛止爪２２よりも下方に配置される。
【００２９】
（４）本発明の開封防止機構付きキャップ１の成形金型は、
開封防止機構付きキャップ１の内螺子部に対応する螺子部金型が外周に沿って形成されると共に基台４に対して回転進退可能なモーターラック５と、
開封防止機構付きキャップ１の開封防止機構に対応する開封防止用溝６１が外周に沿って複数個形成されると共に基台４内で前記モーターラック５の周囲に立設した開封防止用金型６と、
開封防止機構付きキャップ１の外周側面及び天面に対応して形成されると共に前記開封防止用金型６を覆って基台４に当接しうる外部金型７とを具備した、射出成形用の成形金型である。
そして、前記開封防止用金型６は、複数の開封防止用溝６１と共に、その外周側面に、金型内へ射出された樹脂の回転を押えるための複数の樹脂押さえ用溝６３を散設してなることを特徴とする。
【００３０】
このようなものであれば、樹脂押さえ機構として、側面を向いた樹脂押さえ用溝６３を、同じく側面を向いた開封防止用溝６１と共に、外周側面に形成したものとなる。このため、樹脂押さえ機構を形成するための、厚さ方向への樹脂成形領域を別途確保する必要がなくなる。
【００３１】
（５）また、前記開封防止機構付きキャップ１の成形金型において、複数の開封防止用溝６１が、いずれも平面視にて一の周方向へ偏った偏倚溝であると共に、樹脂押さえ用溝６３が、前記開封防止用溝の偏倚溝と同一の周方向に偏った偏倚溝であることが好ましい。
【００３２】
このようなものであれば、成形された開封防止機構付きキャップ１において、樹脂押さえ用溝６３の偏倚溝によって偏突起からなる第三の掛止爪２３が形成され、この第三の掛止爪２３が容器本体３の第二の掛止爪２２に掛止することで、第三の掛止爪２３によってもある程度の開封防止機能を果たしうる。
【００３３】
（６）また、前記開封防止機構付きキャップ１の成形金型において、複数の開封防止用溝６１と樹脂押さえ用溝６３とが混在して、開封防止用溝６１又は樹脂押さえ用溝６３のいずれかが、開封防止用金型６の外周へ等間隔に形成されることが好ましい。
【００３４】
このようなものであれば、開封防止機構付きキャップ１の螺子締結時に、容器本体３の口部３２の螺子終端側に形成した第二の掛止爪２２を、第一及び第三の掛止爪３１、３３のいずれかの間に配置させるまでねじ締結することで、第一及び第三の掛止爪３１、３３の、第二の掛止爪２２への掛止機会を増加させ、より確実に開封防止するものとなる。
【００３５】
（７）また、本発明の開封防止機構付きキャップ１の製造方法は、前記いずれかの開封防止機構付きキャップ１の成形金型を用いたものであって、
基台４よりも突出した位置のモーターラック５、開封防止用金型６、及び外部金型７を当接させて成形型の型締めを行う型締め工程と、
前記型締め工程後に開封防止機構付きキャップ１型内へ樹脂を射出してこの射出樹脂を冷却固化させる射出固化工程と、
前記射出固化工程後にモーターラック５を基台４から回転退進させて内螺子部１２の型抜きをする内型抜き工程と、
前記内型抜き工程後に開封防止用金型６及び外部金型７の当接を解除して外側の型抜きをする外型抜き工程と、を具備することを特徴とする。
【発明の効果】
【００３６】
上記構成を採用することで、開封防止機構付きキャップ１の螺合部と螺子最終位置側の先端部との位置ズレｄ１の発生が抑制される。このため、螺合部と螺子最終位置側の先端部とで、外形に必ずしも段差を設ける必要がなく、体裁の良い開封防止機構付きキャップ１を形成しうる。また、容器本体３の口部３２の径の大きさの制限が抑止され、比較的おおきな口部３２の容器本体３を使用しうる。
【発明を実施するための最良の形態】
【００３７】
本発明を実施するための最良の形態例について、実施例として示す各図を参照して詳細に説明する。図１ないし図２に、本発明の実施例１の開封防止機構付き容器、及び開封防止機構付きキャップ１を示す。図３ないし図９に、本発明の実施例１の開封防止機構付きキャップ１の成形金型及び製造方法を示す。
【００３８】
具体的には、図１が、本発明の実施例１の開封防止機構付きキャップ１とそれを備えた開封防止機構付き容器の側方向視軸断面説明図であり、図２が、実施例１の開封防止機構付きキャップ１の底面図である。
【００３９】
図３、図５、図８、及び図９は、実施例１の開封防止機構付きキャップ１の製造方法の各工程後ないし工程中の状態を示す軸断面説明図であり、成形金具の状態説明図である。各工程とはそれぞれ、型締め工程後（図３）、射出固化工程後（図５）、内型抜き工程中（図８）、および外型抜き工程後（図９）の状態である。
【００４０】
また、図４は、型締め工程後の状態（図３）における、成形型内のモーターラック５及び開封防止用金型６を示す斜視説明図である。図６及び図７は、射出固化工程後の状態（図５）における、それぞれＡ−Ｂ部拡大断面説明図、及びＣ−Ｃ線断面説明図である。
【００４１】
なお図１０ないし図１４には、従来の開封防止機構付き容器、開封防止機構付きキャップ１、その成形金型及び製造方法の一例を示す。それぞれ図１０は本発明の図１に、図１１は本発明の図２に、図１２は本発明の図４に、図１３は本発明の図６に、そして図１４は本発明の図７に対応する。
【００４２】
＜本発明の開封防止機構付き容器＞
本発明の開封防止機構付き容器は、開封防止機構付きキャップ１を備えた容器であり、図１に示すように、外周板１１に内螺子部が形成された開封防止機構付きキャップ１と、これに螺合しうる外螺子が形成された口部３２を容器側板３１の上方に有する容器本体３とから構成される。
【００４３】
そして、容器本体３の容器側板３１の外径３１ｄと、開封防止機構付きキャップ１の外周板１１の外径１１ｄとが共通する。このため、容器本体３と開封防止機構付きキャップ１とを螺合させた図１に示す状態で、外側面に段差が生じることなのない、いわゆる面一の容器となる。
【００４４】
これにより、例えば内容物収容後に螺子締結後の容器の周囲をフィルム等でラミネートするラミネート工程を容易に行うことができ、皺の生じにくい体裁の良いラミネート状態とすることができる。
【００４５】
＜開封防止機構＞
このとき開封防止機構は、開封方向へ螺進した開封防止機構付きキャップ１の外周板１１に備えた第一の掛止爪２１及び第三の掛止爪２３と、容器本体３の口部３２の下方に備えた第二の掛止爪２２とが掛止することによるものである（図１）。なお容器側板３１は、前記第二の掛止爪２２よりも下方に配置される。
【００４６】
＜本発明の開封防止機構付きキャップ１＞
本発明の開封防止機構付きキャップ１は、外形周囲を亘る一の外周板を具備し、ヒンジによって開封しうるヒンジ蓋を一体的に備えた、シングルコア開封防止機構付きキャップ１である。具体的には、図２に示すように、外形周囲を亘る一の外周板１１と、この外周板の内側面に形成された内螺子部１２と、この外周板１２の内側面のうち内螺子部１２の下方にて、いずれも内側方を向いて形成された複数の第一の掛止爪２１及び複数の第三の掛止爪２３と、外周板１２の上部にて、繰り返し開閉可能なヒンジ蓋と、ヒンジ蓋を開けたときに現出し、その中心部分が切り取り可能な内部天板を具備する。開封防止機構付きキャップ１の開封時には、ヒンジ蓋を開けて内部天板の中心部分を切り取る。切り取った内部天板の切り取り孔から内容物を取り出した後は、再びヒンジ蓋を閉める。
【００４７】
（外周板１１）
外周板１１は、それ自体の内側面にのみ段差を有してこの段差より上方の厚肉部１１１と段差より下方の薄肉部１１３とから一体的に構成されてなる。
【００４８】
外周板１１は、それ自体の内側面にのみに設けた所定の段差幅１１２ｂの段差を介して、この段差より上方の厚肉部１１１と段差より下方の薄肉部１１３とから一体的に構成されてなる。
【００４９】
厚肉部１１１は、側面に樹脂押さえ用溝６３を形成した成形金型によって、比較的薄いものとして形成される。なお、ここで樹脂押さえ用溝６３は、金型分離時に樹脂を押さえるためのものであり、開封防止機構付きキャップ１の内側側方へ形成される。
【００５０】
厚肉部１１１が比較的薄いため、樹脂押さえ機構に基づく段差が外周板１１の外面に生じることがなく、なだらかな外周形のシングルコア開封防止機構付きキャップ１となる。
【００５１】
（内螺子部１２）
内螺子部１２は、成形金型の一部たるモーターラック５によって、外周板１１の厚肉部１１１に形成される。
【００５２】
本発明の開封防止機構付きキャップ１の製造方法は、前記いずれかの開封防止機構付きキャップ１を成形するものである。
【００５３】
（第一の掛止爪２１）
第一の掛止爪２１は、開封防止機構付きキャップ１を容器本体へ螺合締結したときに、容器本体に設けた第二の掛止爪２２の、開封方向側の掛止面２ｆと掛止して、容易な開封を防止するためのものである。
【００５４】
第一の掛止爪２１はいずれも、成形金型の一部に形成された開封防止用溝６１によって、外周板１１の薄肉部１１３の内側面に形成される。これらは上下方向ではなく、開封防止機構付きキャップ１の内側側方へ向かって突出してなり、内側側方へ所定の掛止高さを有する。
【００５５】
複数の第一の掛止爪２１はいずれも、（成形金型の）開封防止用溝６１によって前記薄肉部１１３に等間隔に４箇所形成される。
【００５６】
この第一の掛止爪２１は、容器本体３の第二の掛止爪２２に掛止しうる掛止面２ｆを有しており、第二の掛止爪２２の数及び位置に対応して配設される。そして、成形後の容器本体３への螺合締結状態において、容器の第二の掛止爪２２の掛止面２ｆと当接することで、開封防止機能を果たしうる。
【００５７】
（第三の掛止爪２３）
第三の掛止爪２３は、主に、成形時の金型分離時に成形金型の一部に掛止するためのものである。また、第一の掛止爪２１間にて上下方向ではなく、開封防止機構付きキャップ１の内側側方へ向かって突出し、一の周方向へ掛止面２ｆを有して形成されるため、容器本体２に設けた第二の掛止爪２２の開封方向側の掛止面２ｆと掛止して、容易な開封を防止する開封防止用のものとしても機能しうる。
【００５８】
第三の掛止爪２３はいずれも、外周板１１の薄肉部１１３の内側面内、かつ内螺子部１２の下方に隣接した下端の位置に形成される。また、前記複数の第一の掛止爪２１複数の第一の掛止爪２１のうち、隣り合う一対の第一の掛止爪２１間に散設される。これらは、成形金型の一部たる開封防止用金型６に形成された樹脂押さえ用溝６３の偏移溝によって形成されるものである。
【００５９】
それぞれの第三の掛止爪２３は背面視（図２）にて開封防止機構付きキャップ１の内側側方へ向かって突出した偏突起からなる。そして、外周板１１の内側面から中心方向へ向かって所定の掛止高さ２ｈを有する。
【００６０】
第三の掛止爪２３はまた、第一の掛止爪２１と相似形状であり、第一の掛止爪２１よりも一回り小さいものとなっている。これにより、第三の掛止爪２３の掛止面２ｆ及び掛止高さ２ｈは、第三の掛止爪２３の掛止面２ｆ及び掛止高さ２ｈよりも小さい。
【００６１】
第三の掛止爪２３はいずれも内側面を向き、同じく内側面を向いた第一の掛止爪２１と共に形成されるため、成形時の樹脂押さえ機構を形成するための、厚さ方向への樹脂成形領域を別途確保する必要がなくなり、外周板１１のうち、厚肉部１１１を比較的薄いものとすることができる。これにより、外周板１１の外側面に段差を有さない滑らかな外周面の外周板１１の開封防止機構付きキャップ１となる。
【００６２】
外周板１１において、隣り合う第一の掛止爪２１と第三の掛止爪２３、及び、隣り合う第三の掛止爪２３同士は混在して、第一の掛止爪２１又は第三の掛止爪２３が等間隔に形成される。
【００６３】
共に側方向を向いた樹脂押さえ用溝６３と第三の掛止爪２３とから、本発明の樹脂押さえ機構が形成される。この本発明の樹脂押さえ機構は、側方を向いた開封防止用の第一の掛止爪２１の間にて、第一の掛止爪２１と同じく開封防止機構付きキャップ１の内側方を向いて形成される。これは、たとえば図１０、図１１に示す従来の樹脂押さえ用溝６３´やこれによる形成穴３３´のように、外周板１１の段差内で上下方向を向いて形成されるものではないため、厚肉部１１１を比較的薄いものとして形成することが可能となる。これにより、本発明のの開封防止機構付きキャップ１は、樹脂押さえ機構に基づく段差が外周板１１の外面に生じることがなく、なだらかな外周形のシングルコア開封防止機構付きキャップ１となっている。
【００６４】
（第一の掛止爪２１及び三の掛止爪２３）
第一の掛止爪２１及び第三の掛止爪２３の、外周板１１の内側へ向かう掛止高さ２ｈはいずれも、前記厚肉部１１１と薄肉部１１３の厚さの差、すなわち段差幅１１２ｂよりも小さいものである。ここで、厚肉部１１１と薄肉部１１３の境界となる外周板１１の段差は、外周板の内側面にのみ設けられたものであり、外周板１１の外側面は滑らかな面からなる。
【００６５】
このため、複数の第一の掛止爪２１及び複数の第三の掛止爪２３がいずれも、底面視にて内螺子部１２の最外縁（螺子底）よりも内側へ突出することなく形成される。
【００６６】
これにより、開封防止機構付きキャップ１と容器本体３とを螺合する際に、第一及び第三の掛止爪２３がいずれも、容器本体３の外螺子部３３と接触することのないものとなる。このため、開封防止機構付きキャップ１と容器本体３とを、容易に或いは確実に螺合固定することができ、また掛止爪は、螺子部等との接触によって欠損することなく掛止位置に配置される。
【００６７】
（本発明の開封防止機構付きキャップ１の製造方法）
本発明の開封防止機構付きキャップ１は、例えば、後述する特定の開封防止機構付きキャップ１の成形金型を用いて、少なくとも下記各製造工程を具備することによって製造される。
【００６８】
各製造工程とは順に、
・基台４よりも突出した位置のモーターラック５、開封防止用金型６、及び外部金型７を当接させて成形型の型締めを行う型締め工程（図３）、
・前記型締め工程後に開封防止機構付きキャップ１型内へ樹脂を射出してこの射出樹脂を冷却固化させる射出固化工程（図５）、
・前記射出固化工程後にモーターラック５を基台４から回転退進させて内螺子部１２の型抜きをする内型抜き工程（図８）、
・前記内型抜き工程後に開封防止用金型６及び外部金型７の当接を解除して外側の型抜きをする外型抜き工程（図９）である。
【００６９】
＜本発明の開封防止機構付きキャップ１の成形金型＞
本発明の開封防止機構付きキャップ１の成形金型は、射出成形による開封防止機構付きキャップ１の成形金型である。少なくとも、
・基台４と、
・基台４に対して回転進退可能なモーターラック５と、
・基台４内で前記モーターラック５の周囲を支承する開封防止用金型６と、
・前記開封防止用金型６を覆って基台４に当接しうる外部金型７とを具備する。
【００７０】
（開封防止用金型６）
開封防止用金型６は、開封防止機構付きキャップ１の開封防止機構に対応する開封防止用溝６１を外周に沿って等間隔に散設してなると共に、金型内への射出樹脂の回転を押えるための複数の樹脂押さえ用溝６３を、外周側面に散設してなる。
【００７１】
このようなものであれば、樹脂押さえ機構として、側面を向いた樹脂押さえ用溝６３を、同じく側面を向いた開封防止用溝６１と共に、外周側面に形成したものとなる。このため、樹脂押さえ機構を形成するための、厚さ方向への樹脂成形領域を別途確保する必要がなくなる。
【００７２】
（モーターラック５）
モーターラック５は、成形金型のうち、開封防止機構付きキャップ１の内螺子部１２に対応するものであり、モーター機構によって、突出位置Ｓ１から退進位置Ｓ２までの間を回転しながら進退しうる。モーターラック５の外周に沿って、開封防止機構付きキャップ１の内螺子部に対応する螺子部金型が形成される。
【００７３】
（外部金型７）
外部金型７は、射出口７１を有し、開封防止機構付きキャップ１の外周側面及び天面に対応して形成される。成形後の金型分離のため、図示するように複数ブロックから形成されることが好ましい。
【００７４】
（開封防止用溝６１）
複数の開封防止用溝６１は、いずれも平面視にて第一の周方向（回転軸中心からみて同一廻りの方向）へ偏った第一の偏突起を形成するための偏倚溝である。
【００７５】
（樹脂押さえ用溝６３）
複数の樹脂押さえ用溝６３は、前記第一の周方向、すなわち、開封防止用溝６１の偏移溝と同一の周方向に偏った偏倚溝である。
【００７６】
（開封防止用溝６１と樹脂押さえ用溝６３）
実施例の複数の開封防止用溝６１と樹脂押さえ用溝６３は、両溝が規則的に並び、開封防止用金型６の外周へ等間隔に形成される。
【００７７】
このようなものであれば、開封防止機構付きキャップ１の螺子締結時に、容器の口部３２の螺子終端側に形成した第二の掛止爪２２を、第一及び第三の偏突起のいずれかの間に配置させるまでねじ締結することで、第二の掛止爪２２の掛止機会を増加させ、より確実に開封防止するものとなる。
【００７８】
（容器本体３）
容器本体３は、外螺子が形成された口部３２を、容器側板３１の上方に有する。この外螺子は、開封防止機構付きキャップ１の内螺子部１２に螺合しうるものである。また、口部の基端側の周囲に、複数の第二の掛止爪２２が側方を向いて等間隔に形成される。
【００７９】
容器本体３の容器側板３１の外径３１ｄは、開封防止機構付きキャップ１の外周板１１の外径１１ｄと共通する。容器側板３１は、前記第二の掛止爪２２よりも下方に配置される。
【００８０】
これにより、容器本体３と開封防止機構付きキャップ１とを螺合させた状態で、外側面に段差が生じることなく、体裁の良いいわゆる面一の容器となる。これは、例えば螺子締結後の容器の周囲をフィルム等でラミネートする場合、このラミネート工程を容易に行うことができ、皺の生じにくいラミネート状態とすることができるものである。
【００８１】
また、口部内径３２ｄを比較的大きいものとすることができるため、収容しうる内容物の形状及び大きさが口部３２の大きさによって大きく制限されない。この口部内径３２ｄの大きさは、開封防止機構付きキャップ１の金型分離時の樹脂押さえ機構によって生じる厚さ方向の位置ズレｄ１を小さいものとしたことで確保されるものである。
【００８２】
なお、このとき開封防止機構は、開封方向へ螺進した開封防止機構付きキャップ１の外周板１１に備えた第一の掛止爪２１及び第三の掛止爪２３と、容器本体３の口部３２の下方に備えた第二の掛止爪２２とからなる。
【００８３】
（第二の掛止爪２２）
複数の第二の掛止爪２２はいずれも、片側へ掛止面２ｆを有して外周方向へ突出した平面視扁平三角形の偏突起からなる。また、容器本体３の口部３２の基端側かつ外螺子部３３の終端側の外周に沿って、等間隔に形成される。開封防止機構付きキャップ１締結時の第一の掛止爪２１に対応した数（実施例では４個）が形成される。
【００８４】
但しここで、第二の掛止爪の掛止面２ｆは、第一及び第三の掛止爪２１、２３の掛止面２ｆとは逆の周方向を向いて形成される。これにより、開封防止機構付きキャップ１を容器本体３へ螺合締結した状態において、開封防止機構付きキャップ１の第一の掛止爪２１ないし第三の掛止爪２３の各掛止面２ｆと第二の掛止爪の掛止面２ｆとが当接し、開封防止機能を果たしうる。
【００８５】
その他各部の具体的な構成は、上述した実施例に限定されるものではなく、本発明の趣旨を逸脱しない範囲で種々変形が可能である。
【図面の簡単な説明】
【００８６】
【図１】本発明の実施例１の開封防止機構付きキャップ１とそれを備えた開封防止機構付き容器の側方向視軸断面説明図である。
【図２】実施例１の開封防止機構付きキャップ１の底面図である。
【図３】実施例１の開封防止機構付きキャップ１の製造方法における型締め工程後中の成形金具等の状態を示す軸断面説明図である。
【図４】図３の型締め工程後の状態における、成形型内のモーターラック及び開封防止用金型を示す斜視説明図である。
【図５】実施例１の開封防止機構付きキャップ１の製造方法における射出固化工程後の成形金具等の状態を示す軸断面説明図である。
【図６】図５の射出固化工程後の状態における、側面視Ａ−Ｂ部拡大断面説明図である。
【図７】図５の射出固化工程後の状態における、側面視Ｃ−Ｃ線断面説明図である。
【図８】実施例１の開封防止機構付きキャップ１の製造方法における内型抜き工程中の成形金具等の状態を示す軸断面説明図である。
【図９】実施例１の開封防止機構付きキャップ１の製造方法における外型抜き工程後の成形金具等の状態を示す軸断面説明図である。
【図１０】従来の開封防止機構付きキャップ１例とそれを備えた開封防止機構付き容器例の側方向視軸断面説明図である。
【図１１】図１０に示す従来の開封防止機構付きキャップ例の底面図である。
【図１２】従来の型締め工程後の状態における、成形型内のモーターラック及び開封防止用金型の例を示す斜視説明図である。
【図１３】従来の射出固化工程後の状態例における、側面視一部拡大断面説明図である。
【図１４】従来の射出固化工程後の状態例における、底面視断面説明図である。
【符号の説明】
【００８７】
１  開封防止機構付きキャップ
１１  外周板
１１ｄ  外周板の外径
１１１  厚肉部
１１１ｂ  厚肉部厚さ
１１２ｂ  段差幅
１１３  薄肉部
１２  内螺子部
２１  第一の掛止爪
２２  第二の掛止爪
２３  第三の掛止爪
２ｆ  掛止面
２ｈ  掛止高さ
３  容器本体
３１  容器側板
３１ｄ  容器側板の外径
３２  口部
３２ｄ  口部内径
３３  外螺子部
４  基台
５  モーターラック
６  開封防止用金型
６１    開封防止用溝
６３    樹脂押さえ用溝
７  外部金型
７１  射出口
ｄ１  位置ズレ
Ｒ  樹脂
Ｓ１  突出位置
Ｓ２  退進位置
【図１】
2008013181.tif 000003
【図２】
2008013181.tif 000004
【図３】
2008013181.tif 000005
【図４】
2008013181.tif 000006
【図５】
2008013181.tif 000007
【図６】
2008013181.tif 000008
【図７】
2008013181.tif 000009
【図８】
2008013181.tif 000010
【図９】
2008013181.tif 000011
【図１０】
2008013181.tif 000012
【図１１】
2008013181.tif 000013
【図１２】
2008013181.tif 000014
【図１３】
2008013181.tif 000015
【図１４】
2008013181.tif 000016